(57)【要約】【課題】回路遮断器の外部操作ハンドル装置について、回路遮断器の主接点が溶着した異常状態では、操作つまみをＯＦＦ位置に回せないようにしたアイソレーション機能付きの外部操作ハンドル装置を提供する。【解決手段】盤内に配備したロッカーハンドル付き回路遮断器を盤外からＯＮ，  ＯＦＦ操作する外部操作ハンドル装置において、そのボディに組み込んだドライブ機構１１に、回路遮断器の主接点が溶着した異常状態では操作つまみをＯＦＦ位置へ移動できないように拘束するロック手段を設けるものとし、そのロック手段として、操作つまみに連結したターンベース１８と回路遮断器のロッカーハンドルとの間を連繋するスライドベース１９に、クランクピン１８ａに対峙するロックレバー２０，復帰ばね２１，およびロッカーハンドルをＯＦＦ方向に押すプッシャ部材１９ａ，連結ばね１９ｂを設け、さらに前記ロックレバーの爪部２０ｂに対向してボディ側にストッパ１２ａを設ける。【選択図】      図１
2005026106.tif 000002
【特許請求の範囲】
【請求項１】
盤内に配備したロッカーハンドル付き回路遮断器を盤外からＯＮ，  ＯＦＦ操作する外部操作ハンドル装置であり、該ハンドル装置が回路遮断器本体に結合するボディと、該ボディの前面に設けた回転式操作つまみと、クランクピン付きターンベースとスライドベースを組み合わせて操作つまみの回転を直線運動に変換するドライブ機構との組立体からなり、前記スライドベースを回路遮断器のロッカーハンドルに掛合してロッカーハンドルをＯＮ，  ＯＦＦ位置に駆動するようにしたものにおいて、
前記ドライブ機構に、回路遮断器の主接点が溶着した異常発生の状態で操作つまみをＯＦＦ位置へ移動できないように拘束するロック手段を設けたことを特徴とする回路遮断器の外部操作ハンドル装置。
【請求項２】
請求項１に記載の外部操作ハンドル装置において、操作つまみのロック手段として、ドライブ機構のスライドベース上にターンベースのクランクピンとＯＦＦ方向で対峙するロックレバー，および該レバーを定常位置に向けて付勢する復帰ばねを設けるとともに、回路遮断器の接点溶着状態でのハンドルのＯＦＦ操作により復帰ばねに抗して傾動する前記ロックレバーに掛合してスライドレバーのＯＦＦ方向への移動を阻止するストッパをボディ側に設けたことを特徴とする回路遮断器の外部操作ハンドル装置。
【請求項３】
請求項２に記載の外部操作ハンドル装置において、スライドベースに、そのベース本体と分割して回路遮断器のロッカーハンドルとＯＮ側に対峙させたプッシャ部材を設け、該プッシャ部材をベース本体にばねを介して連結したことを特徴とする回路遮断器の外部操作ハンドル装置。
【発明の詳細な説明】
【０００１】
【発明の属する技術分野】
本発明は低圧配電盤，制御盤などに配備した回路遮断器を盤外からＯＮ，ＯＦＦ操作する外部操作ハンドル装置に関する。
【０００２】
【従来の技術】
低圧配電盤，制御盤などに配備した回路遮断器（例えばオートブレーカ）を盤外から手動でＯＮ，ＯＦＦ操作するために、回路遮断器に組み合わせて使用する付属装置（オプション品）として外部操作ハンドル装置が周知である（例えば、特許文献１参照。）。
ここで、上記した回路遮断器の構造（例えば、特許文献２参照。）を図４に、該回路遮断器に組み合わせて使用する外部操作ハンドル装置を図５（ａ），（ｂ）  に示す。
【０００３】
図４において、回路遮断器１は、本体ケース２に電源側および負荷側の主回路端子３，４，固定接触子５，可動接触子６，開閉機構７，過電流引外し装置８，および開閉操作用のロッカーハンドル９を組付けた構成になり、ロッカーハンドル９を手動でＯＮ，ＯＦＦ位置に倒すと、これに連動して開閉機構７が開閉スプリング１０の蓄勢ばね力を受けて反転動作し、主接点を閉極，開極させる。
一方、図５（ａ），（ｂ）  において、外部操作ハンドル装置１１は、前記回路遮断器１の本体ケースに結合（ねじ止め）するボディ１２に回転式の操作つまみ１３，および該操作つまみ１３と回路遮断器のロッカーハンドル９（図４参照）との間を連繋する後記のドライブ機構を搭載した構成になり、操作つまみ１３をＯＮ，ＯＦＦ表示位置に回して回路遮断器のロッカーハンドルをＯＮ，  ＯＦＦ位置に駆動する。なお、１４は操作つまみ１３のＯＮ，ＯＦＦ，ＴＲＩＰ，ＲＥＳＥＴ位置を表示する表示板、１５は操作つまみ１３に設けた引出し式のロック板、１６はロック板１５をＯＦＦ位置に鎖錠する南京錠であり、ロック板１５を含む操作つまみ１３のロック機構、およびロック操作の手順は先記の特許文献１に詳しく述べられている。
【０００４】
また、前記のドライブ機構は、操作つまみ１３に連結したクランクピン付きのターンベースと、ターンベースのクランクピンに連繋して直線方向に移動するスライドベースとを組み合わせてもので、このスライドベースを回路遮断器のロッカーハンドルに掛合し、操作つまみの回転を直線運動に変換してロッカーハンドルをＯＮ，ＯＦＦ位置に駆動する。
【０００５】
【特許文献１】
特開平５−２２５８６４号公報
【特許文献２】
特開平１０−２７５３４号公報
【０００６】
【発明が解決しようとする課題】
ところで、図４で述べた回路遮断器に前記構成の外部操作ハンドル装置を組み合わせた使用状態で、回路遮断器に接点溶着の異常が生じた場合には、外部操作ハンドル装置で次記のような誤操作を引き起こすことがある。
すなわち、図４に示した回路遮断器で、万一の故障で主回路に過大な電流が流れた場合に遮断器がトリップ動作しないと、主接点が接点間の接触抵抗による発熱で溶着するといった異常事態が発生する。このような接点溶着の状態では、ロッカーハンドルでＯＦＦ操作しようとしても、主接点が溶着されて開かないために通常の操作力ではロッカーハンドルは動かない。しかし、外部操作ハンドル装置を組み合わせてＯＦＦ操作すると、回路遮断器の主接点が溶着状態を保持したままで、外部操作ハンドル装置の操作つまみがＯＦＦ位置を表示してしまう問題がある。
【０００７】
すなわち、従来の外部操作ハンドル装置では先記のようにクランクピン付きターンベースとスライドベースを組み合わせたドライブ機構が倍力装置として働き、操作つまみに加えた力が増幅されて回路遮断器のロッカーハンドルに作用する。このために、接点溶着状態で外部操作ハンドル装置の操作つまみに力を加えてＯＦＦ位置に回すと、ロッカーハンドルに連繋した開閉機構の可動部品（可動接触子）が変形して操作つまみがＯＦＦ表示位置まで回ってしまい、このＯＦＦ位置で図５に示したロック板１５を操作つまみ１３から引出して南京錠１６を施錠することか可能となる。
【０００８】
しかも、この状態では回路遮断器の主接点は溶着して閉極しているにもかかわらず、外部操作ハンドル装置の操作つまみ１３はＯＦＦ位置を表示することになる（図５（ａ）  参照）。このために、保守員は外部操作ハンドル装置のＯＦＦ表示から回路遮断器が断路していると誤認し、回路遮断器の二次側（負荷側）回路に触れて感電する危険がある。
そこで、このような感電事故を防ぐために、回路遮断器の主接点が溶着した状態でＯＦＦ操作しようとした場合に、回路遮断器のロッカーハンドル自身を機械的にＯＮ位置にロックし、ＯＦＦ位置へ移動できないようにしたアイソレーション機能付きの回路遮断器も開発されているが、この回路遮断器は開閉機構の構造が複雑になって製品がコスト高となる。
【０００９】
本発明は上記の点に鑑みなされたものであり、その目的はアイソレーション機能のない通常の回路遮断器に組み合わせて使用する外部操作ハンドル装置について、回路遮断器の主接点が溶着した異常状態では、操作つまみをＯＦＦ位置に回せないようにして安全性を高めたアイソレーション機能付きの外部操作ハンドル装置を提供することにある。
【００１０】
【課題を解決するための手段】
上記目的を達成するために、本発明によれば、盤内に配備したロッカーハンドル付き回路遮断器を盤外からＯＮ，  ＯＦＦ操作する外部操作ハンドル装置で、該ハンドル装置が回路遮断器本体に結合するボディと、該ボディの前面に設けた回転式操作つまみと、クランクピン付きターンベースとスライドベースを組み合わせて操作つまみの回転を直線運動に変換するドライブ機構との組立体からなり、前記スライドベースを回路遮断器のロッカーハンドルに掛合してロッカーハンドルをＯＮ，  ＯＦＦ位置に駆動するようにしたものにおいて、
前記ドライブ機構に、回路遮断器の接点が溶着した異常発生の状態で操作つまみをＯＦＦ位置へ移動できないように拘束するロック手段を設ける（請求項１）ものとし、そのロック手段を次記のような具体的な態様で構成する。
【００１１】
（１）  ロック手段として、ドライブ機構のスライドベース上にターンベースのクランクピンとＯＦＦ方向で対峙するロックレバー，および該レバーを定常位置に向けて付勢する復帰ばねを設けるとともに、回路遮断器の接点溶着状態でのハンドルのＯＦＦ操作により復帰ばねに抗して傾動する前記ロックレバーに掛合してスライドレバーのＯＦＦ方向への移動を阻止するストッパをボディ側に設ける（請求項２）。
（２）  前項（１）  において、ドライブ機構のスライドベースには、そのベース本体と分割して回路遮断器のロッカーハンドルとＯＮ側に対峙させたプッシャ部材を設け、該プッシャ部材をベース本体にばねを介して連結する（請求項３）。
【００１２】
上記の構成において、スライドベース上に設けたロックレバーの復帰ばね（圧縮ばね）のばね力を、回路遮断器の通常の開閉動作時にロッカーハンドルに加える操作力では撓まないばね力に設定しておけば、回路遮断器の主接点に溶着の異常がない定常状態では、外部操作ハンドル装置の操作つまみをＯＦＦ操作すると、ロックレバーを定常位置に保持したままターンベースのクランクピンがロックレバーと一緒にスライドベースをＯＦＦ方向に押して回路遮断器のロッカーハンドルを駆動する。
これに対して、回路遮断器の主接点が溶着した異常状態では、ロッカーハンドルに掛合したスライドベースにはこの位置で大きな拘束力が掛かるようになる。この状態で回路遮断器をＯＦＦ操作するために外部ハンドル装置の操作つまみを通常より大きな力を加えてＯＦＦ方向に回すと、ターンベースのクランクピンに押されたレバーが復帰ばねに抗して回動する。同時に操作力を受けたスライドベースがプッシャ部材をロッカーハンドルに押し当てたままその連結ばねを撓ませながらロックレバーと一緒にＯＦＦ方向に向けて若干移動すると、前記のように回動したロックレバーがボディ側に設けたストッパに当たって掛合し、それ以上のスライドベースの移動を阻止する。
【００１３】
この結果、外部操作ハンドル装置の操作つまみをＯＦＦ表示位置まで回すことができず、従来の外部操作ハンドル装置で問題となっていた主接点溶着の異常状態でのハンドル操作によるＯＦＦ表示の誤認が防げる。また、この場合にスライドベースのＯＦＦ方向への移動を阻止するので、回路遮断器のロッカーハンドルには過大な操作力が加わることもなく、したがって遮断器内部の可動部品を変形させるおそれもない。
【００１４】
【発明の実施の形態】
以下、本発明の実施の形態を図１〜図３に示す実施例に基づいて説明する。なお、図１は外部操作ハンドル装置のドライブ機構図、図２（ａ），（ｂ）  はドライブ機構の動作説明図、図３（ａ）  〜（ｃ）  は外部操作ハンドル装置を回路遮断器に組付けた状態を表す図であり、実施例の図中で図４，図５に対応する部材には同じ符号を付している。
まず、図１において、ドライブ機構１７は、操作つまみ１３（図３参照）の回転軸に連結したターンベース１８と、ターンベース１８に連繋して図３のように回路遮断器１のロッカーハンドル９に掛合させた樹脂成形品になるスライドベース１９を基本部品として、スライドベース１９の上面に形成した凹所にはターンベース１８のクランクピン１８ａとＯＦＦ側に対峙させて配置したＬ字形のロックレバー２０，および該ロックレバー２０の復帰ばね２１を備えており、さらにスライドベース１９の左側端部にはベース本体から分離して回路遮断器のロッカーハンドル９のＯＮ側に対峙させるプッシャ部材１９ａ，および該プッシャ部材１９ａとベース本体とを繋ぐ連結ばね１９ｂが一体成形されている。なお、スライドベース１９のベース本体とプッシャ部材１９ａとの間に多少の遊び間隙を設定してプッシャ部材の可動範囲を制限するようにしている。また、スライドベース１９は図３で示すようにボディ１２の下部側に貫挿して直線方向へスライド可能に案内支持されている。
【００１５】
ここで、前記ロックレバー２０は、その一端が支軸２０ａを介して揺動可能にスライドベース１９の側縁近傍に軸支され、かつレバーのＬ字コーナーには後記するストッパに掛合する爪部２０ｂを形成している。また、復帰ばね２１はロックレバー２０の先端とスライドベース１９の上面に形成した凹部端面との間に介挿してロックレバー２０を背後から付勢する圧縮スプリングであって、そのばね力は回路遮断器のＯＦＦ操作時に操作つまみ１３に加える通常の操作力で撓まないような強いばね力に設定されている。さらにボディ１２におけるスライドベース１９の案内溝部には、前記ロックレバー２０が回動（時計方向）した際に爪部２０ｂと掛合し合うようにスライドベースの側縁内側に向けて突出したストッパ１２ａが形成されている。
【００１６】
上記構成の外部操作ハンドル装置１１は、図３（ａ）  〜（ｃ）  で示すように、回路遮断器１の本体ケース１２に取付け、この取付け位置でスライドベース１９が回路遮断器のロッカーハンドル９を左右（ＯＮ，ＯＦＦ側）から挟むようにしている。なお、図３（ｂ）  において、１２ｂはボディ１２のカバー、１２ｃは操作つまみ１３から引き出したロック板１５をＯＦＦ表示位置に嵌合して鎖錠する係止溝部である。
そして、回路遮断器１の主接点に溶着が生じてない定常状態では、外部操作ハンドル装置１１の操作つまみ１３をＯＮ，ＯＦＦ位置に回すと、ＯＮ操作時にはターンベース１８のクランクピン１８ａが直接スライドベース１９の凹段部に当たって左方向に押し、スライドベース１９に掛合した回路遮断器のロッカーハンドル９をＯＮ位置に倒す。これにより、開閉機構７が応動して主接点が閉極する。また、ＯＦＦ操作時には、復帰ばね２１で定常位置に付勢されているロックレバー２０にターンベース１８のクランクピン１８ａが当たり、ロックレバーと一緒にスライドベース１９を右方向に押す。これにより、スライドベース１９がプッシャ部材１９ａを介してロッカーハンドル９をＯＦＦ位置に駆動して回路遮断器をＯＦＦにする。
【００１７】
一方、回路遮断器に接点溶着の異常が発生した状態では、外部操作ハンドル装置の操作つまみ１３に力を加えてＯＦＦ位置に回すと、この位置に拘束されているスライドベース１９が動かずに、ターンベース１８のクランクピン１８ａに押されたロックレバー２０が復帰ばね２１に抗して支軸２０ａを中心に時計方向に回動し、ロックレバー２０の爪部２０ｂがボディ１２に形成した鉄製のストッパ１２ａに向けて突き出すようになる（図２（ａ）  参照）。また、プッシャ部材１９ａをロッカーハンドル９に押し当てたままスライドベース１９が連結ばね１９ｂを圧縮するよう撓ませながら右方に移動すると、ロックレバー２０の爪部２０ａがストッパ１２ａに掛合し（図２（ｂ）  参照）、スライドベース１９がそれ以上右方向へ移動するのを阻止する。これにより、操作つまみ１３はＯＦＦ表示位置まで回せなくなる。
【００１８】
また、図２（ａ）  から（ｂ）  の状態に移行する過程では、スライドベース１９の連結ばね１９ｂが撓んで回路遮断器のロッカーハンドル９を押す力を吸収するので、ロッカーハンドル９は動くことがなしにこの位置に停止したままとなり、遮断器内部の可動部品（可動接触子）を変形させるおそれはない。なお、この点について、仮に可動式のプッシャ部材１９ａ，連結ばね１９ｂを設けずにスライドベース１９でロッカーハンドル９を直接ＯＦＦ方向に押すようにすると、スライドベース１９が図２（ａ）  から（ｂ）  に移動する過程でロッカーハンドル９を強引に押して回路遮断器の可動接触子を変形させてしまうおそれがあるほか、この状態から外部操作ハンドル装置の操作つまみ１３を一端ＯＮ位置に戻して再度ＯＦＦ方向に回す操作を繰り返すと、スライドベース１９とロッカーハンドル９との当たる位置が前回操作よりもＯＦＦ側にずれるため、ロックレバー２０の爪部２０ｂがストッパ１２ａに掛合しなくなってアイソレーションが機能しなくなるおそれがある。
【００１９】
なお、図示例では連結ばね１９ｂを樹脂成形品のスライドベース１９と一体に成形しているが、独立部品の金属製ばねを採用することもできる。
また、実施例の外部操作ハンドル装置を適用する回路遮断器は、図４に示した構成の回路遮断器に限定されるものではなく、開閉機構が異なる他のタイプのロッカーハンドル付き回路遮断器にも同様に適用できることは勿論である。
【００２０】
【発明の効果】
以上述べたように、本発明によれば、盤内に配備したロッカーハンドル付き回路遮断器を盤外からＯＮ，  ＯＦＦ操作する外部操作ハンドル装置において、そのドライブ機構に、回路遮断器の主接点が溶着した異常発生の状態で操作つまみをＯＦＦ位置へ移動できないようにするロック手段を設けてハンドル装置自身にアイソレーション機能を持たせたことにより、
回路遮断器の接点が溶着した異常状態で外部操作ハンドル装置をＯＦＦ操作しようとしても、操作つまみをＯＦＦ表示位置に回すことができなくなり、これにより従来の外部操作ハンドル装置で問題となっていた誤操作，および回路遮断器の動作状態の誤認に伴う感電事故を防止して保守管理面の安全性を高めることができる。
【００２１】
また、前記のロック手段として請求項２，３の構造を採用することにより、回路遮断器に過大な操作荷重を加わることなくロック手段を機能させることができて高い信頼性が得られる。
【図面の簡単な説明】
【図１】本発明の実施例による外部操作ハンドル装置のドライブ機構の分解斜視図
【図２】図１のドライブ機構の動作説明図で、（ａ），（ｂ）  は回路遮断器の接点溶着状態で外部操作ハンドル装置をＯＦＦ操作した場合の動作経過を表す図
【図３】図１の外部操作ハンドル装置を回路遮断器に組付けた状態を表す図で、（ａ），（ｂ），（ｃ）  はそれぞれ側視断面図，平面図，およびハンドル装置のカバーを外した状態の平面図
【図４】外部操作ハンドル装置を適用する回路遮断器の構成断面図
【図５】従来より実施されている外部操作ハンドル装置の外観図で、（ａ），（ｂ）  はそれぞれ平面図，および側面図
【符号の説明】
１    回路遮断器
２    本体ケース
６    可動接触子
７    開閉機構
９    ロッカーハンドル
１１    外部操作ハンドル装置
１２    ボディ
１２ａ  ストッパ
１３    操作つまみ
１７    ドライブ機構
１８    ターンベース
１８ａ  クランクピン
１９    スライドベース
１９ａ  プッシャ部材
１９ｂ  連結ばね
２０    ロックレバー
２１    復帰ばね
【図１】
2005026106.tif 000003
【図２】
2005026106.tif 000004
【図３】
2005026106.tif 000005
【図４】
2005026106.tif 000006
【図５】
2005026106.tif 000007